(57)【要約】      （修正有）【課題】ピストンロッドのピストンヘッド部の構造向上であり、特にピストンが高速で往復移動する際、ピストンのヘッドが往復移動する時に生じる騒音を大幅に低下することのできるピストンのヘッドの向上である。【解決手段】主には、ピストンロッドの先端には、弁座を組立の基部として、外部リングの縁環のそれぞれに耐摩擦、漏れ防止部材と、一対の中央位置決め滑動管を穿設させ、弾性部材とピストンの弁部を組み合わせ、弾性状のピストンのヘッドを一体成形し、押し出された水が確実に漏れないようにする。また、ピストンロッドを戻す時に、水が簡単に弁座を通過して、タンク室の内部に引き込まれ、弾性部材の緩衝作用により往復動作においてピストンとピストンの弁部が強く衝突しないように、ひいては往復動作をする時に、騒音の低下及び漏れ防止の実用性を図る。【選択図】図１
0003119690.tif 000002
【実用新案登録請求の範囲】
【請求項１】
ポンプ本体及び、ピストンロッド、ピストン先端を往復運動させる組合部材を備えたピストンロッドのピストンヘッド部の構造向上であって、ピストンロッドを往復運動させる先端が弁座を基部装置として、その座体の外縁には耐摩擦、且つ漏れ防止部材により囲い取りにシールされ、座体内部に貫通される流し穴が複数設けられ、流体を穴に流すことができるように形成され、また、座体の外部をプラスチックの保護カバーにより被覆し、保護カバーの中央部には一対の位置決めの滑動管を設置し、一端が弁座端面の凹部リングに当接され、保護カバーと座体間を安定に組み合わせ、カバーの内部にある中間リングでは適当に高度が突起され、弾性部材を穿設した後、帽子状のバルブシールに当接し、弁座の外部面を貼着して組み合わせ、ピストンロッドが水を引き込み、押し出す場合は、弾性部材の緩衝作用により、往復動作においてバルブシールと弁座間の衝突による騒音を生じさせないものであることを特徴とするピストンロッドのピストンヘッド部の構造向上。
【請求項２】
漏れ防止部材が耐摩擦のリング、ゴムリングからなるピストンシール部品であることを特徴とする請求項1に記載のピストンロッドのピストンヘッド部の構造向上。
【請求項３】
保護カバーの内部が中間リングの突起高度にあり、弾性部材が長さを押す制限を制御することを供し、弾性部材の使用時の安全を確保できることを特徴とする請求項1に記載のピストンロッドのピストンヘッド部の構造向上。
【考案の詳細な説明】
【技術分野】
【０００１】
本考案はピストンロッドのピストンヘッド部の構造向上に関し、直接ピストンヘッド部に弁座で位置決めをし組み立てられ、外部は漏れ防止の耐摩擦リングで漏れ防止部材を滑らせ、中央部は位置決めの滑動管により保護カバーを組み合わせ、内部にバネやバルブシールなどの部品を設置し、ピストンに水を押し出させる時、ピストンの弁部は弁座の水の浸入部を確実に密閉させることができ、安定して水を押し出させる操作が得られ、ピストンを元に戻す際、バネの緩衝により、バルブシールの弾性に圧力を与えピストンとの遊び部分を設けさせ、楽に水を引き込むことができ、往復動作においてバルブシールとピストンとの衝突による騒音を生じさせず、ピストンの往復運動による漏れを防ぎ安全性を向上させ、無騒音で使用できるという目的を達成できる。
【背景技術】
【０００２】
従来の農業用高圧噴霧器が有する内部の往復運動の加圧時ピストンロッドで水を押し出させる設計で、加圧して水を押し出させる操作により、ピストンロッドの加圧部分が高圧の反力を受け、漏れ防止効果が直接全体の安定して加圧する効果に影響を及ぼし、ピストンの往復運動の設計上極めて重要となる。一般の往復式ピストンロッドの加圧ロッド部がまず設計され、大部分は図５〜８に示すように、高圧側のピストンロッド（３０）のピストンヘッド部にピストンロッド（３０）の端によって階段状の軸面を設け、外端から内部に向かってそれぞれベース部（３１）を被せ、ケース外側の中央軸面に滑動管（３２）を覆い、中央に穴が設計されたピストンリング（３３）が組み合わされ、リングの外側に固定していない位置決め板（３４）を設置し、弾性金具と組み合わせた後ナット（３６）で固定し、ピストンリング（３３）が滑って動くことを抑制でき、ピストンロッド（３０）が往復運動で加圧過程の際、ピストンリング（３３）はベース部（３１）に接触できるようになり密閉状態で制御でき、加圧過程に安定して圧力を加えられる効果を有させ、元に戻す過程で、水を引き込む圧力のため、適時ピストンリング（３３）が外に移動するかもしれないが、外側の位置決め板（３４）により阻止される。水が通る穴を形成することで、流体がタンク内に引き込まれるようになり、ピストンロッド（３０）が再度加圧により水を押し出す操作を可能にさせる。
【０００３】
類似した往復運動により加圧で水を押し出し元に戻して水を引き込む操作の設計では、ピストンリング（３３）とベース部（３１）が実際長時間漏れ防止、密閉及び変形防止の用途で使用される中で、通常金属或いは硬質材料によって製作され、加圧操作時に水を押し出す逆方向の圧力の押し圧により、ピストンリング（３３）を逆向きに迅速にベース部（３１）と衝突させ、極めて高い衝突の音を生じさせる。ピストンの高速往復運動により、水を押し出させる操作時繰り返し衝突による騒音を生じさせ、その固定された周期の連続した衝突による音が使用環境の深刻な汚染になり、操作員に我慢できなくさせる。結局、主な原因はピストンリング（３３）とベース部（３１）の間にあり、硬質材料を必要とし密閉性の高い設計が、加圧及び安定した圧力を加える効果を確保させ、このように全体の騒音の解決をさらに困難にしている。いかに高圧ポンプのピストンの往復運動時に、安定して圧力を加え安全に漏れを防ぎ、低騒音で使用できるかは、現行のピストンロッドの加圧端部の構造を容易に改良した設計空間を持たせることで、往復運動全体の加圧時の静音化を図ることができ、業者が積極的に改良の研究をするべき目標を達成できる。
【考案の開示】
【考案が解決しようとする課題】
【０００４】
本考案者は専門的な農業器具の製造者であり、前記ピストンロッドのピストンヘッド部が設計上持っている欠点について、特に使用時に生じる騒音及び安定して圧力を加えることのできる実用的な要求に対し、改良の研究に専念し、何度も改良設計をテストした後、ついに本考案であるピストンロッドのピストンヘッド部の構造向上を開発した。弁座はピストンロッドの階段状の端に組み合わせられ、座体内部に貫通される流し穴が設けられ、バルブシールで外側が塞がれ、座体の外部は保護カバーにより被覆された弾性部材で組み立てられ、ピストンの弁部の滑りに弾性緩衝により、衝突から生じる座面の騒音を減少させることができ、確実に漏れ防止の密閉効果を得ることができ、現行のピストン端部が使用上繰り返し生じさせる騒音の欠点を解決させるのに有効である。
【課題を解決するための手段】
【０００５】
本考案の主な目的は、ピストンロッドの端に弁座を組み合わせることで、座体内部に貫通される流し穴が設けられ、外側はバルブシールにより貼り合せられ、開閉操作がコントロールでき、バルブシールの外側は内部が弾性部材で穿設された保護カバーで適切にバルブシールが支えられ、ピストンロッドが往復運動する際、弾性緩衝と組み合わせることで、バルブシールと弁座間の衝撃により生じる騒音を減少させることができ、実用性に合致し、静音化を図り安全の目的を達成させることができる。
【考案を実施するための最良の形態】
【０００６】
本考案であるピストンロッドのピストンヘッド部の構造向上は、図１乃至図４に示すように、高圧ポンプ本体（１０）の内部に設置された往復運動をするピストンロッド（１１）を提供するもので、ピストンロッド（１１）の往復運動部分の端が階段状の端部になっており、主に弁座（１２）により階段状の端部に位置決めされ、その座体の外縁には耐摩擦のリング、ゴムリングからなる漏れ防止部材（１３）により囲い取りにシールされ、ピストンの密閉部品となり、弁座（１２）全体の周りに漏れ防止部材（１３）が当接され、内部に貫通される流し穴（１４）が複数設けられ、流体を穴に流すことができるように形成され、また、座体の外部をプラスチックの保護カバー（１５）により被覆し、保護カバー（１５）の中央部には一対の位置決めの滑動管（１６）を設置し、弁座（１２）端面の凹部リング内に当接され、保護カバー（１５）と座体間を安定に組み合わせ、カバーの内部にある中間リング（１７）では適当に高度が突起され、弾性部材（１８）を穿設した後、一般的にバネが用いられ、帽子状のバルブシール（１９）を当接することで、弁座（１２）の外部面を貼着して組み合わせ、保護カバー（１５）の外側に弾性金具（２０）とナット（２１）でピストンロッド（１１）のヘッド位置を固定し、ピストンロッド（１１）の水を押し出す制御を備えているピストンヘッド部の構造をつくりあげた。
【０００７】
本考案であるピストンロッド（１１）の水を押し出すピストン弁座の構造を設計する時、弁座（１２）の組み立て、座体の外縁面が漏れ防止部材（１３）の適当な硬度を持った漏れ防止で囲い取られることにより、ピストンの往復運動時に安定して圧力を加え、漏れを防ぐ効果を確保でき、ピストンロッド（１１）のヘッド部で水を押し出す制御上、保護カバー（１５）の内部にある中間リング（１７）では適当に高度が突起され、弾性部材（１８）に長さの制限で押し出された空間の圧力を吸収させ、確実に弾性部材（１８）が使用される弾性を保護し、過度の押し出し圧力が生じることによって切断する危険を防ぎ、ピストンが元に戻る際、流体がピストンロッド（１１）の一端の水の引き込み口によって取り入れられ、弁座（１２）に流し穴（１４）を設置しバルブシール（１９）を押し開けることによりタンク室（２２）の内部に引き込まれ、ピストンロッド（１１）が押し出し操作制御をする際、押し出し時の加圧力により弁座（１２）端部に被覆されたバルブシール（１９）が反対の圧力を受け、同時に水の引き込み口を密閉し、密閉状態で安定して圧力を加えられる操作が可能になる。押し出しきった後、元に戻す過程で、ピストンロッド（１１）が元に戻る際減圧になるため、引き込まれる水に弁座（１２）の穴（１４）で密閉されているバルブシール（１９）を押し開けさせ、水をタンク室（２２）の内部に引き入れさせ、バルブシール（１９）全体の変位は、保護カバー（１５）内に設置された弾性部材（１８）の弾性により圧力が相殺され、移動することはなく、弾性部材（１８）と流体圧力の緩衝に従い、圧力がかかる時、弁座（１２）の端まで安定して貼り被せられ、再度密閉状態で水が引き込まれ、繰り返し押し出し、水が引き込まれる連続した動作を達成でき、バルブシール（１９）と弁座（１２）間の衝撃による騒音を生じさせず、ピストン全体の往復運動に騒音を発生させたり、密閉状態で安定して加圧する際の懸念はなくなり、実用化のための目的を達成できる。
【図面の簡単な説明】
【０００８】
【図１】本考案に係るピストンヘッド部の構造の組み立て傾斜分解図。
【図２】本考案に係るピストンロッドが有する組み立て外観参考図。
【図３】本考案に係るピストンヘッド部の組み立て平面概念図。
【図４】本考案に係るピストンヘッド部の水を引き込む過程の概念図。
【図５】従来技術に係るピストンヘッド部の構造の組み立て傾斜分解図。
【図６】従来技術に係るピストンヘッド部の構造の組み立て外観参考図。
【図７】従来技術に係るピストンヘッド部の組み立て平面概念図。
【図８】従来技術に係るピストンヘッド部の水を引き込む過程の概念図。
【符号の説明】
【０００９】
１０………本体
１１………ピストンロッド
１２…………弁座
１３…………漏れ防止部材
１４…………穴
１５…………保護カバー
１６…………滑動管
１７…………中間リング
１８…………弾性部材
１９…………ピストン弁
２０…………金具
２１…………ナット
２２………タンク
３０…………ピストンロッド
３１…………ベース部
３２…………滑動管
３３…………ピストンリング
３４……………位置決め板
３５……………金具
３６……………ナット
【図１】
0003119690.tif 000003
【図２】
0003119690.tif 000004
【図３】
0003119690.tif 000005
【図４】
0003119690.tif 000006
【図５】
0003119690.tif 000007
【図６】
0003119690.tif 000008
【図７】
0003119690.tif 000009
【図８】
0003119690.tif 000010
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
ポンプ本体及び、ピストンロッド、ピストン先端を往復運動させる組合部材を備えたピストンロッドのピストンヘッド部の構造であって、ピストンロッドを往復運動させる先端が弁座を基部装置として、その座体の外縁には耐摩擦、且つ漏れ防止部材により囲い取りにシールされ、座体内部に貫通される流し穴が複数設けられ、流体を穴に流すことができるように形成され、また、座体の外部をプラスチックの保護カバーにより被覆し、保護カバーの中央部には一対の位置決めの滑動管を設置し、一端が弁座端面の凹部リングに当接され、保護カバーと座体間を安定に組み合わせ、カバーの内部にある中間リングでは適当に高度が突起され、弾性部材を穿設した後、帽子状のバルブシールに当接し、弁座の外部面を貼着して組み合わせ、ピストンロッドが水を引き込み、押し出す場合は、弾性部材の緩衝作用により、往復動作においてバルブシールと弁座間の衝突による騒音を生じさせないものであることを特徴とするピストンロッドのピストンヘッド部の構造。
【請求項２】
漏れ防止部材が耐摩擦のリング、ゴムリングからなるピストンシール部品であることを特徴とする請求項1に記載のピストンロッドのピストンヘッド部の構造。
【請求項３】
保護カバーの内部が中間リングの突起高度にあり、弾性部材が長さを押す制限を制御することを供し、弾性部材の使用時の安全を確保できることを特徴とする請求項1に記載のピストンロッドのピストンヘッド部の構造。